(57)【特許請求の範囲】
【請求項１】
Ｇコードを利用して映像信号を録画するに際し、地域別に互いに異なるＧコードチャンネルをプラスチャンネルに自動設定するための放送チャンネル自動設定装置であって、
Ｇコードチャンネル自動設定のためのキー信号及び該当地域を入力させるためのキー入力手段；
前記該当地域において受信される特定の放送局のチャンネル番号をストックする第１メモリ手段；
前記第１メモリ手段にストックされた特定の放送局のチャンネル番号にしたがって放送信号を受信するチューナー；
前記チューナで受信される放送信号よりそのＡＧＣレベルを検出する手段；
前記ＡＧＣレベル検出手段より出力される前記放送信号のＡＧＣレベルを入力して最大の受信感度を有するチャンネルを前記特定の放送局に対する該当地域におけるＧコードチャンネルとして選択し、その選択されたＧコードチャンネルをプラスチャンネルに設定するための制御を遂行するマイクロプロセッサー；そして
前記マイクロプロセッサーにより設定されたチャンネルデータをストックする第２メモリ手段で構成されることを特徴とする放送チャンネル自動設定装置。
【請求項２】
前記マイクロプロセッサーが、前記Ｇコードチャンネルを設定するのに利用するための地域別放送チャンネル表を内部メモリにストックして備えるようにして成ることを特徴とする請求項１記載の放送チャンネル自動設定装置。
【請求項３】
前記キー入力手段がリモコンを含むようにして成ることを特徴とする請求項１記載の放送チャンネル自動設定装置。
【請求項４】
前記ＡＧＣ電圧検出手段より出力される前記各放送チャンネル信号のＡＧＣ電圧を放送受信感度情報として前記マイクロプロセッサーに提供するための手段が更に備えられることを特徴とする請求項１記載の放送チャンネル自動設定装置。
【請求項５】
前記マイクロプロセッサーにより設定され前記第１メモリ手段にストックされたチャンネルデータをバックアップ用にストックし、ストックされたチャンネルデータをチャンネル設定がされていない映像機器のチャンネルデータとして提供するためのチャンネルデータのバックアップ手段が更に備えられたことを特徴とする請求項１記載の放送チャンネル自動設定装置。
【請求項６】
Ｇコードを利用して映像信号を録画するに際し、地域別に互いに異なるＧコードチャンネルをプラスチャンネルに自動設定するための放送チャンネル自動設定方法であって、
チャンネル自動設定モードを選択する段階；
チャンネル自動設定モードが設定されると、該当地域が選択されたかどうかを判断する段階；
該当地域が選択されると、該当地域において受信される特定の放送局のチャンネル番号をチューニングしてＡＧＣレベルを検出した後、ＡＧＣレベルにしたがって最大の受信感度を有するチャンネルを前記特定の放送に対する該当地域におけるＧコードチャンネルとして選択する段階；そして
前記選択されたＧコードチャンネルをプラスチャンネルに設定する段階でなることを特徴とする放送チャンネル自動設定方法。
【請求項７】
前記Ｇコードチャンネル選択段階が、地域別Ｇコード放送チャンネル表を現在受信されている放送チャンネルとの比較データとして備えており、これらの比較結果よりＧコードチャンネル設定が成されるように構成されたことを特徴とする請求項６記載の放送チャンネル自動設定方法。
【請求項８】
前記プラスチャンネル設定段階で設定されたチャンネルデータがバックアップを受けて別にストックされる段階；そして
バックアップを受けてストックされたチャンネルデータをチャンネル設定がされていない映像機器に提供する段階が更に備えられることを特徴とする請求項６記載の放送チャンネル自動設定方法。
【発明の詳細な説明】
【０００１】
【産業上の利用分野】
本発明は、ビデオカセットレコーダー（ＶＣＲ）やテレビジョン受像機等の放送チャンネル自動設定装置及びその方法に関し、特に地域別に互いに異なるＧコード放送チャンネルをプラスチャンネルに自動設定することにより使用上の便利性を与えることのできる放送チャンネル自動設定装置及びその方法に関する。
【０００２】
【従来の技術】
従来の放送チャンネル設定装置によると、Ｇコード予約録画等のため各地域別に互いに異なるＧコードチャンネルを手動設定操作によりプラスチャンネルにマッピングしてやらなければならない。即ち、ユーザーが現在放送されているチャンネルとガイドに示されているチャンネルを一々合わせてその地域に合うように設定しなければならない。
【０００３】
図１は、従来のチャンネル設定装置の構成を示したものである。この装置はＶＣＲセット部でＧコードチャンネル設定のためのキー信号を入力させるためのキー入力部(3) 及びリモコン(1) 、このリモコン(1) 及びキー入力部(3) より入力されるキー信号によりＧコード設定を制御するマイクロプロセッサー(2) 、このマイクロプロセッサー(2) により設定されたＧコードチャンネルデータをストックするためのメモリ（ＥＥＰＲＯＭ）(4) 、そしてこのメモリ(4) にストックされたＧコードチャンネルデータを画面上にディスプレーするためのＯＳＤ（On-Screen Display ）部(5) で構成される。
【０００４】
このように構成された従来の装置において、ユーザーがリモコン(1) またはキー入力部(3) を通じて現在入力される放送チャンネルとガイドに示されているチャンネルを一々合わせて設定してやることになるが、このチャンネル設定作業が難しくて不便である。特に同じ放送が二つ以上のチャンネルで受信される場合、チャンネルの設定が難しく、使用未熟により正確なチャンネル設定ができない場合もある。
【０００５】
【発明が解決しようとする課題】
本発明の目的は、前記のような問題点を解決するためのものにして、該当地域に合うＧコードチャンネルをプラスチャンネルに自動設定することのできる放送チャンネル自動設定装置及びその方法を提供することにある。
【０００６】
本発明の他の目的は、最高の受信感度を有するＧコードチャンネルを自動で検索して、これをプラスチャンネルに設定することのできる放送チャンネル自動設定装置及びその方法を提供することにある。
【０００７】
【課題を解決するための手段】
かかる目的を達成するために、本発明は、Ｇコードを利用して映像信号を録画するに際し、地域別に互いに異なるＧコードチャンネルをプラスチャンネルに自動設定するための放送チャンネル自動設定装置であって、
Ｇコードチャンネル自動設定のためのキー信号及び該当地域を入力させるためのキー入力手段；
前記該当地域において受信される特定の放送局のチャンネル番号をストックする第１メモリ手段；
前記第１メモリ手段にストックされた特定の放送局のチャンネル番号にしたがって放送信号を受信するチューナー；
前記チューナで受信される放送信号よりそのＡＧＣレベルを検出する手段；
前記ＡＧＣレベル検出手段より出力される前記放送信号のＡＧＣレベルを入力して最大の受信感度を有するチャンネルを前記特定の放送局に対する該当地域におけるＧコードチャンネルとして選択し、その選択されたＧコードチャンネルをプラスチャンネルに設定するための制御を遂行するマイクロプロセッサー；そして
前記マイクロプロセッサーにより設定されたチャンネルデータをストックする第２メモリ手段で構成されることを特徴とする放送チャンネル自動設定装置を提供する。
【０００８】
かかる目的を達成するために本発明は又、Ｇコードを利用して映像信号を録画するに際し、地域別に互いに異なるＧコードチャンネルをプラスチャンネルに自動設定するための放送チャンネル自動設定方法であって、
チャンネル自動設定モードを選択する段階；
チャンネル自動設定モードが設定されると、該当地域が選択されたかどうかを判断する段階；
該当地域が選択されると、該当地域において受信される特定の放送局のチャンネル番号をチューニングしてＡＧＣレベルを検出した後、ＡＧＣレベルにしたがって最大の受信感度を有するチャンネルを前記特定の放送に対する該当地域におけるＧコードチャンネルとして選択する段階；そして
前記選択されたＧコードチャンネルをプラスチャンネルに設定する段階でなることを特徴とする放送チャンネル自動設定方法を提供する。
【０００９】
【作用】
製作者や代理店では該当地域に合うＧコードチャンネルをＶＣＲセット部のリモコン又はキー入力部を介してマイクロプロセッサーに入力させる。マイクロプロセッサーにより設定されたＧコードチャンネルデータはメモリにストックされる。
【００１０】
そして、キー入力手段からのチャンネル自動設定キー信号により、マイクロプロセッサーの制御の下に、ストックされたＧコードチャンネルデータが自動設定され、自動設定されたＧコードチャンネルがプラスチャンネルに設定され、これにより、Ｇコードチャンネルが自動に他のチャンネルに設定される。
【００１１】
【実施例の詳細な説明】
図２を参照すると、本発明の一実施例によるチャンネル自動設定装置は大別してＧコード予約のためのチャンネル設定を行うためのＶＣＲセット部(100) 、そして、このＶＣＲセット部(100) とジャック(9A)(9B)を介して連結され、ＶＣＲセット部(100) で設定されたＧコードチャンネルデータをバックアップ用にストックし、ストックされたＧコードチャンネルデータをＶＣＲセット部(100) に出力するジグセット部(200) で構成される。
【００１２】
ＶＣＲセット部(100) は、Ｇコードチャンネルを設定する信号を入力するためのリモコン(1')及び第１キー入力部(3')、このリモコン(1')及び第１キー入力部(3')よりのキー信号によりＧコード設定機能を制御する第１マイクロプロセッサー(2')、第１マイクロプロセッサー(2')により設定されたＧコードチャンネルデータをストックするか又はジグセット部(200) で出力されるＧコードチャンネルデータを受けてストックするための第１メモリ(4')、そして第１メモリ(4')にストックされたＧコードチャンネルデータを画面上にディスプレーするためのＯＳＤ部(5')で構成される。
【００１３】
一方、ジグセット部(200) はＶＣＲセット部(100) で設定されたチャンネルデータをバックアップ用にストックし、ストックされたデータを出力するための第２メモリ(6) 、この第２メモリ(6) のデータストック及び出力を制御する第２マイクロプロセッサー(7) 、そして、この第２マイクロプロセッサー(7) の動作を制御するためのキー信号を入力させるための第２キー入力部(8) で構成される。
【００１４】
一方ＶＣＲセット部(100) の第１メモリ(4')とジグセット部(200) の第２マイクロプロセッサー(7) の間には、Ｇコードチャンネルデータの相互の入出力のためのジャック(9A)(9B)が備えられ、これらのジャックは電線(10)により連結される。
【００１５】
本発明の実施例において、ジグセット部(200) の第２マイクロプロセッサー(7) と第２キー入力部(8) はＶＣＲセット部(100) の第１マイクロプロセッサー(2')と第１キー入力部(3')に代えることができる。
【００１６】
このように構成された本発明の装置によるＧコードチャンネル設定方法を図２および３を参照して説明する。
【００１７】
先ず、製作者や代理店では該当地域に合うＧコードチャンネルをＶＣＲセット部(100) のリモコン(1')又は第１キー入力部(3')を介して第１マイクロプロセッサー(2')に入力させる。第１マイクロプロセッサー(2')により設定されたＧコードチャンネルデータは第１メモリ(4')にストックされる。
【００１８】
一方、ＶＣＲセット部(100) のジャック(9A)とジグセット部(200) のジャック(9B)が互いに連結された状態でジグセット部(200) の第２キー入力部(8) 内の記録キー（Write key ）を入力すると、第２マイクロプロセッサー(7) の制御の下にＶＣＲセット部(100) の第１メモリ(4')にストックされたＧコードチャンネルデータが第２メモリ(6) でバックアップされてストックされる。このように、第２メモリ(6) にＧコードチャンネルデータのストックが完了された後、ジグセット部(200) を未だＧコードチャンネルが設定されていない他のＶＣＲセットに連結し、ジグセット部(200) の第２キー入力部(8) 内の読み出しキー（Read Key）を入力すると、第２マイクロプロセッサー(7) の制御の下に第２メモリ(6) にストックされたＧコードチャンネルデータがＶＣＲセット部内のメモリにストックされることによりＧコードチャンネルが自動的に設定される。このような方法でＧコードチャンネルが設定されていない複数のＶＣＲセット部にＧコードチャンネルデータを繰り返してストックすることができる。
【００１９】
図４には、本発明によるチャンネル自動設定装置の他の実施例の構成が示されている。
【００２０】
図４を参照すると、この装置は、チャンネル自動設定のためのキー信号を入力するためのキー入力部(3'') 、前記キー入力部(3'') によりチャンネル自動設定モードが選択されると、地域別放送チャンネルの内最大の受信感度を有するチャンネルをＧコードチャンネルに設定し、これをプラスチャンネルにマッピングするための制御機能を行うマイクロプロセッサー(2'') 、前記マイクロプロセッサー(2'') の制御の下に受信される放送信号のチャンネル選局をするチューナー(11)、選択されたチャンネルの放送信号を増幅する増幅部(12)、そして増幅部(12)より出力する自動利得調節（AGC:Automatic Gain Control）電圧を信号反転させてマイクロプロセッサー(2'') に現在選択されたチャンネルの放送受信感度情報として提供するインバーター(13)を含む。この装置は又、前記増幅信号より映像信号を検波する映像検波部(14)、検波した映像信号より同期信号を分離する同期信号分離部(15)、分離された同期信号を検出してマイクロプロセッサー(2'') に供給する同期信号検出部(16)、マイクロプロセッサー(2'') の制御の下に前記キー入力部(3'') により選択されたチャンネル自動設定モードのメニュー画面情報を出力する文字発生機(17)、そして、前記映像検波部(7) より検波された映像信号と前記文字発生機(17)より出力するメニュー画面情報を合成して画面にディスプレーされるように出力する混合機(18)を含める。
【００２１】
このように構成された本発明の装置によるチャンネル設定方法を図４乃至図８を参照して説明する。
【００２２】
先ず、ユーザーがキー入力部(3'') を介してメニューキーを入力させると、マイクロプロセッサー(2'') は文字発生機(17)を制御して図６（イ）のようなメニュー画面を構成して混合機(18)を介して画面に出力する。このとき、ユーザーがこのメニュー画面上でチャンネルの自動設定を実行するための設定モード（即ち、SET-UPモード）をキー入力部(3'') を介して選択すると、本発明によるチャンネル自動設定が成されるようになる。
【００２３】
このようにチャンネル設定モードが選択されると、マイクロプロセッサー(2'') は文字発生機(17)を制御して図６（ロ）のようなメニュー画面を構成して混合機(18)を介して画面に出力する。ユーザーは、この出力された画面上で自身の放送受信地域に該当する固有の地域番号をキー入力部(3'') を介して入力する。
【００２４】
ここで、地域番号目録は予め約定してマイクロプロセッサー(2'') の内部メモリ（図示せず）にストックさせるが、この地域番号はユーザーが容易に認識できるようにその地域の長距離自動電話番号や郵便番号等を利用して定めることもできる。地域番号が入力されると、マイクロプロセッサー(2'') は直ちに放送チャンネルを検索し、検索された放送チャンネルをプラスチャンネルに設定する。図７は各放送局別に各地域で受信されるチャンネル番号とプラスチャンネル番号を図表化した放送チャンネル表を示す。
【００２５】
一方、マイクロプロセッサー(2'') が放送チャンネルを検索するとき、チャンネル検索のエラーを防止するため、前記予め調査された地域番号による各放送局別受信チャンネルと隣接した±ｎ個のチャンネルに対して検索する。
【００２６】
例えば、図６（ロ）を参照すると、地域番号０５番が選択された場合、この地域は慶尚南道と慶尚北道地域であるので、図７の放送チャンネル表で釜山地域の放送チャンネルを検索する。
【００２７】
０５番チャンネルを検索するとき、ｎが３である場合の隣接したチャンネルの０２、０３、０４、０５、０６、０７及び０８番チャンネルに対して検索する。同じ方法で０７番、０９番、３６番、４３番、１３番、３２番、１０番及び４６番チャンネルに対しても各々の±３個の隣接チャンネルを検索する。従って、釜山地域の総９個の放送チャンネルを設定するためには１個のチャンネル当り隣接チャンネルを含めて総７個のチャンネルを検索することになるので、総７×９＝６３個のチャンネルを検索することになる。
【００２８】
このようにして、慶尚南・北道地域で放送される総ての放送チャンネルがマイクロプロセッサー(2'') 内にストックされると、マイクロプロセッサー(2'') は、図５でのようにプラスチャンネルの自動設定モードと手動設定モードの内、どちらが選択されたのかを判断する。
【００２９】
プラスチャンネルの手動設定モードが選択されると、従来のような方法でキー入力部(3'') の手動操作によるチャンネル設定がなされる。
【００３０】
一方、プラスチャンネルの自動設定モードが選択されると、マイクロプロセッサー(2'') は最初のプラスチャンネルをマッピングするため、任意のチャンネル( ｘ）をプラスチャンネルに規定して、この値（ｘ）を検索する。即ち、マイクロプロセッサー(2'') は図７の地域別放送チャンネル表を基準として前記図５で自動設定されたチャンネル（ｙ）と各々比べて、互いに一致するチャンネルが検索されると、そのチャンネル（ｙ）が選択されたとき、マイクロプロセッサー(2'') のアナログ／デジタル入力端（Ａ／Ｄ）に供給されるＡＧＣ値（Ａ）とプラスチャンネルに規定したチャンネル（ｘ）が選局されたときのＡＧＣ値（Ｂ）を互いに比較する。
【００３１】
即ち、マイクロプロセッサー(2'') の制御の下にチューナー(11)により選局されるチャンネルの放送信号は、増幅部(12)の初段増幅機(12A）により増幅された後、中間周波増幅機(12B) により中間周波増幅されて映像検波部(14)に供給される。この検波部(14)で検波された映像信号は混合機(18)を介して画面に出力される一方、同期信号分離部(15)に供給される。この同期信号分離部(15)により分離され同期信号検出部(16)を通じて検出された同期信号は、マイクロプロセッサー(2'') に供給されて文字発生機(17)の信号として用いられる。
【００３２】
このとき、中間周波増幅機(12B) よりチューナー(11)にフィードバックされるＡＧＣ電圧（Ａ）は、図８でのように選局されたチャンネルの放送信号の受信感度即ち、電界強度と反比例するが、このＡＧＣ電圧はインバーター(13)により反転された後、マイクロプロセッサー(2'') に入力される。マイクロプロセッサー(2'') は前記のように入力されたＡＧＣ電圧（Ａ）をデジタル変換してプラスチャンネルとして規定されたチャンネルのＡＧＣ電圧（Ｂ）と比較する。
【００３３】
各、チャンネル（ｘ）（ｙ）のＡＧＣ値(B)(A)の比較結果がＢ≧Ａであると、地域別放送チャンネル表と自動設定されたチャンネルを再び比較して検索されたチャンネル（ｙ）のＡＧＣ値（Ａ）とプラスチャンネル（ｘ）のＡＧＣ値（Ｂ）を比較する過程を繰り返す。
【００３４】
このような比較過程が繰り返された結果、各チャンネル（ｘ）（ｙ）のＡＧＣ値の関係がＢ＜Ａになると、そのときのＡＧＣ値（Ａ）に対応するチャンネルをプラスチャンネル（ｘ）に更新し、地域別放送チャンネル表にある総ての放送チャンネルに対して前記過程が完了されるまでプラスチャンネル（ｘ）の検索と比較、更新を繰り返し行って最高の受信感度を有するプラスチャンネル（ｘ）をさがし出す。このようにしてプラスチャンネル（ｘ）が検索されると、そのチャンネル番号をプラスチャンネルでマッピングさせる。
【００３５】
この過程を図７での釜山地域のＫＢＳ１放送に対するプラスチャンネル設定の場合を例として挙げ説明すると次の通りである。
【００３６】
図７の地域別放送チャンネル表でのように移転段階のチャンネル自動設定過程で探し出した釜山地域のＫＢＳ１チャンネルは、５番、７番、９番の３個のチャンネルである。この３個のチャンネルの受信感度を５番＜７番＜９番の順に仮定し、又プラスチャンネルの初期値としてｘ＝１番チャンネルを設定したものと仮定する。マイクロプロセッサー(2'') は、放送チャンネル表にあるＫＢＳ１のチャンネルと自動設定されたチャンネルを比較する。比較の結果、先ず５番チャンネルが表によるチャンネルであるので、これを検索されたチャンネル（ｙ）で選局してそのＡＧＣ値（Ａ）を前記プラスチャンネル（ｘ）のＡＧＣ値（Ｂ）と比較する。チャンネル１番（ｘ）は放送チャンネルでないのでこのときのＡＧＣ値の比較の結果はＡ＞Ｂである。従って、ＡＧＣ値（Ａ）を有するチャンネル（ｙ）をプラスチャンネル（ｘ）に更新して５番チャンネルがプラスチャンネルになった後、比較の完了如何を判別する。
【００３７】
このとき、未だ７番、９番の２個のチャンネルが残っているので、再び地域別放送チャンネル表と設定されたチャンネルを比較して、次の比較の対象である自動設定されたチャンネル（ｙ）としての７番を探し出す。そして、７番チャンネル（ｙ）のＡＧＣ値（Ａ）を前記プラスチャンネルの５番チャンネルのＡＧＣ値（Ｂ）と比較するが、前述のように前記５番、７番及び９番チャンネルの受信感度に対する仮定により比較結果はＢ＜Ａである。従って、ＡＧＣ値（Ａ）を有するチャンネル（ｙ）をプラスチャンネル（ｘ）に更新して７番チャンネルがプラスチャンネルになった後、比較が完了したかどうかを判別する。そして、未だ残っている９番チャンネルに対して再び地域別放送チャンネル表と設定されたチャンネルを比較して次の比較の対象であるチャンネル９番を前記のように選局する。９番チャンネル（ｙ）のＡＧＣ値（Ａ）をプラスチャンネルの７番チャンネルのＡＧＣ値（Ｂ）と比較して、前述の前記受信感度に対する仮定により比較結果はＢ＜Ａである。従って、ＡＧＣ値（Ａ）を有する９番チャンネルがプラスチャンネル（ｘ）に更新され、比較完了如何を判別するが、３個のＫＢＳ１チャンネルを全部比較したので、最高の受信感度を有する９番チャンネルが最終のプラスチャンネルに設定されることによりチャンネル自動設定動作が終了する。
【００３８】
【発明の効果】
以上で説明したように本発明によれば、映像受信機器で地域別に互いに異なるＧコード放送チャンネルをプラスチャンネルに自動設定することができるので使用に便利であり、特に最高の受信感度を有するチャンネルをプラスチャンネルに設定することができるので、最高の受信状態でＧコード予約画面が可能になる。しかも、各代理店や製作者が既に設定されたＧコード放送チャンネルデータを別の装置のバックアップで他のＶＣＲセットのチャンネル設定に利用することができるのでユーザーによるＧコードチャンネル設定が不要になる利点がある。
【図面の簡単な説明】
【図１】従来のＧコードチャンネル設定装置の構成ブロック図である。
【図２】本発明による放送チャンネル自動設定装置の一実施例を示した構成ブロックである。
【図３】本発明による放送チャンネル自動設定方法の一実施例が適用されたアルゴリズム図である。
【図４】本発明による放送チャンネル自動設定装置の他の実施例を示した構成ブロックである。
【図５】本発明による放送チャンネル自動設定方法の他の実施例が適用されたアルゴリズム図である。
【図６】（イ）（ハ）は、本発明による選択メニューディスプレー状態例示図である。
【図７】本発明によるチャンネル自動設定のためのストックされる地域別放送チャンネル表の例示図である。
【図８】受信放送チャンネル信号により得られるＡＧＣ電圧の可変範囲を示したグラフである。
【符号の説明】
２' 、２''：第１マイクロプロセッサー
３' 、３''：第１キー入力部
４' ：第１メモリ
６：第２メモリ
７：第２マイクロプロセッサー
８：第２キー入力部
１２：増幅部
１３：インバーター
【図１】
0003663469.tif 000002
【図２】
0003663469.tif 000003
【図３】
0003663469.tif 000004
【図４】
0003663469.tif 000005
【図５】
0003663469.tif 000006
【図６】
0003663469.tif 000007
【図７】
0003663469.tif 000008
【図８】
0003663469.tif 000009